【手続補正書】
【提出日】平成20年3月12日(2008.3.12)
【手続補正１】
【補正対象書類名】明細書
【補正対象項目名】発明の名称
【補正方法】変更
【補正の内容】
【発明の名称】デジタルコンテンツサービスシステム及びデジタルコンテンツ視聴契約方法及びデジタルコンテンツ視聴契約システム
【手続補正２】
【補正対象書類名】明細書
【補正対象項目名】特許請求の範囲
【補正方法】変更
【補正の内容】
【特許請求の範囲】
【請求項１】
送信側は、コンディショナルアクセスを使用してサービスチャンネルの受信契約を促すデータコンテンツを送出し、
受信側は、受信機で前記データコンテンツを受信して表示し、該データコンテンツを介して受信契約の操作を行うことにより所望のサービスチャンネルを視聴できるようにするデジタルコンテンツサービスであって、
前記受信側の受信機でデータコンテンツを介して受信契約の操作を行った場合、前記送信側は、前記受信側のコンディショナルアクセスに使用する受信機と通信を行う通信手段と、
該受信機のＩＤ情報及び／又は該受信機を特定することが可能なＩＤ情報を取り込むＩＤ取得手段と、
該ＩＤ取得手段により取り込んだＩＤ情報に基づき、サービスチャンネルの視聴が可能となる予定日時情報を生成して受信側に提示する視聴可能予定日時提示手段とを具備していること
を特徴とするデジタルコンテンツサービスシステム。
【請求項２】
前記視聴可能予定日時提示手段は、予定日時情報に基づいて番組のスクランブル解除データを含むＥＭＭ（Ｅｎｔｉｔｌｅｄ  Ｍａｎａｇｅｍｅｎｔ  Ｍｅｓｓａｇｅ）を生成及び送出する機能を具備していること
を特徴とする請求項１に記載のデジタルコンテンツサービスシステム。
【請求項３】
前記視聴可能予定日時提示手段は、前記ＥＭＭデータの送出予定日時を調整及び決定するＥＭＭスケジュール作成機能と、
該ＥＭＭスケジュール作成手段により決定されたＥＭＭデータの送出予定日時に基づいてＥＭＭデータを作成するＥＭＭ作成機能とを具備していること
を特徴とする請求項２に記載のデジタルコンテンツサービスシステム。
【請求項４】
前記視聴可能予定日時より前であって、前記受信機による確認操作後又は前記視聴可能予定日時までに自動で当該サービスチャンネルへの切替えを行うようにしたこと
を特徴とする請求項２に記載のデジタルコンテンツサービスシステム。
【請求項５】
視聴契約を行うことにより番組を視聴可能とするデジタルコンテンツの送受信システムにおいて、
前記デジタルコンテンツの送信システムは、前記デジタルコンテンツの受信システムの有する識別番号及び所定の契約情報に基づいて、視聴可能となる予定日時情報及び視聴する為の鍵情報であるＥＭＭデータを自動生成し、該予定日時情報を受信システムに通知し、該予定日時情報に従いＥＭＭデータを送出することにより受信システムが番組の視聴が可能となること
を特徴とするデジタルコンテンツ視聴契約方法。
【請求項６】
視聴契約を行うことにより番組を視聴可能とするデジタルコンテンツの送受信システムにおいて、
前記デジタルコンテンツの送信システムは、前記デジタルコンテンツの受信システムの有する識別番号及び所定の契約情報を取得するユーザ情報取得手段と、
該ユーザ情報取得手段で取得した識別番号及び契約情報を管理するユーザ情報管理手段と、
該ユーザ情報管理手段で管理する識別番号及び契約情報に基づき、視聴の為の鍵情報を含むＥＭＭデータと、該ＥＭＭデータの送出予定日時情報を自動生成するＥＭＭ生成手段と、
該ＥＭＭ生成手段で生成したＥＭＭデータの送出予定日時情報を前記受信システムに対して送出するＥＭＭ情報送出手段と、ＥＭＭデータ送出予定日時情報に従ってＥＭＭデータを送出する送信手段とを具備していること
を特徴とするデジタルコンテンツ視聴契約システム。
【請求項７】
前記ＥＭＭ生成手段は、前記ＥＭＭデータの送出予定日時を調整及び決定するＥＭＭスケジュール作成機能と、
該ＥＭＭスケジュール作成手段により決定されたＥＭＭデータの送出予定日時に基づいてＥＭＭデータを作成するＥＭＭ作成機能とを具備していること
を特徴とする請求項６に記載のデジタルコンテンツ視聴契約システム。
【請求項８】
前ＥＭＭデータの送出予定日時の前であって、前記受信システムによる確認操作後又は前記ＥＭＭデータの送出予定日時までに自動で当該サービスチャンネルへの切替えを行うようにしたこと
を特徴とする請求項６に記載のデジタルコンテンツ視聴契約システム。
【手続補正３】
【補正対象書類名】明細書
【補正対象項目名】０００１
【補正方法】変更
【補正の内容】
【０００１】
【発明の属する技術分野】
本発明は、デジタルコンテンツサービスシステム及びデジタルコンテンツ視聴契約方法及びデジタルコンテンツ視聴契約システムに関する。詳しくは、デジタルコンテンツの有料放送番組サービスにおいて、コンディショナルアクセスによる視聴契約処理を行う場合、視聴可能となる予定日時を明確に提示できるデジタルコンテンツサービスシステム及びデジタルコンテンツ視聴契約方法及びデジタルコンテンツ視聴契約システムに関する。
【手続補正４】
【補正対象書類名】明細書
【補正対象項目名】０００７
【補正方法】変更
【補正の内容】
【０００７】
【課題を解決するための手段】
前記課題を解決するため、本発明に係るデジタルコンテンツサービスシステム及びデジタルコンテンツ視聴契約方法及びデジタルコンテンツ視聴契約システムは次のような構成にすることである。
【手続補正５】
【補正対象書類名】明細書
【補正対象項目名】０００８
【補正方法】変更
【補正の内容】
【０００８】
（１）送信側は、コンディショナルアクセスを使用してサービスチャンネルの受信契約を促すデータコンテンツを送出し、受信側は、受信機で前記データコンテンツを受信して表示し、該データコンテンツを介して受信契約の操作を行うことにより所望のサービスチャンネルを視聴できるようにするデジタルコンテンツサービスであって、前記受信側の受信機でデータコンテンツを介して受信契約の操作を行った場合、前記送信側は、前記受信側のコンディショナルアクセスに使用する受信機と通信を行う通信手段と、該受信機のＩＤ情報及び／又は該受信機を特定することが可能なＩＤ情報を取り込むＩＤ取得手段と、該ＩＤ取得手段により取り込んだＩＤ情報に基づき、サービスチャンネルの視聴が可能となる予定日時情報を生成して受信側に提示する視聴可能予定日時提示手段とを具備していることを特徴とするデジタルコンテンツサービスシステム。
（２）前記視聴可能予定日時提示手段は、予定日時情報に基づいて番組のスクランブル解除データを含むＥＭＭ（Ｅｎｔｉｔｌｅｄ  Ｍａｎａｇｅｍｅｎｔ  Ｍｅｓｓａｇｅ）を生成及び送出する機能を具備していることを特徴とする（１）に記載のデジタルコンテンツサービスシステム。
（３）前記視聴可能予定日時提示手段は、前記ＥＭＭデータの送出予定日時を調整及び決定するＥＭＭスケジュール作成機能と、該ＥＭＭスケジュール作成手段により決定されたＥＭＭデータの送出予定日時に基づいてＥＭＭデータを作成するＥＭＭ作成機能とを具備していることを特徴とする（２）に記載のデジタルコンテンツサービスシステム。
（４）前記視聴可能予定日時より前であって、前記受信機による確認操作後又は前記視聴可能予定日時までに自動で当該サービスチャンネルへの切替えを行うようにしたことを特徴とする（２）に記載のデジタルコンテンツサービスシステム。
【手続補正６】
【補正対象書類名】明細書
【補正対象項目名】０００９
【補正方法】変更
【補正の内容】
【０００９】
（５）視聴契約を行うことにより番組を視聴可能とするデジタルコンテンツの送受信システムにおいて、前記デジタルコンテンツの送信システムは、前記デジタルコンテンツの受信システムの有する識別番号及び所定の契約情報に基づいて、視聴可能となる予定日時情報及び視聴する為の鍵情報であるＥＭＭデータを自動生成し、該予定日時情報を受信システムに通知し、該予定日時情報に従いＥＭＭデータを送出することにより受信システムが番組の視聴が可能となることを特徴とするデジタルコンテンツ視聴契約方法。
（６）視聴契約を行うことにより番組を視聴可能とするデジタルコンテンツの送受信システムにおいて、前記デジタルコンテンツの送信システムは、前記デジタルコンテンツの受信システムの有する識別番号及び所定の契約情報を取得するユーザ情報取得手段と、該ユーザ情報取得手段で取得した識別番号及び契約情報を管理するユーザ情報管理手段と、該ユーザ情報管理手段で管理する識別番号及び契約情報に基づき、視聴の為の鍵情報を含むＥＭＭデータと、該ＥＭＭデータの送出予定日時情報を自動生成するＥＭＭ生成手段と、該ＥＭＭ生成手段で生成したＥＭＭデータの送出予定日時情報を前記受信システムに対して送出するＥＭＭ情報送出手段と、ＥＭＭデータ送出予定日時情報に従ってＥＭＭデータを送出する送信手段とを具備していることを特徴とするデジタルコンテンツ視聴契約システム。
（７）前記ＥＭＭ生成手段は、前記ＥＭＭデータの送出予定日時を調整及び決定するＥＭＭスケジュール作成機能と、該ＥＭＭスケジュール作成手段により決定されたＥＭＭデータの送出予定日時に基づいてＥＭＭデータを作成するＥＭＭ作成機能とを具備していることを特徴とする（６）に記載のデジタルコンテンツ視聴契約システム。
（８）前ＥＭＭデータの送出予定日時の前であって、前記受信システムによる確認操作後又は前記ＥＭＭデータの送出予定日時までに自動で当該サービスチャンネルへの切替えを行うようにしたことを特徴とする（６）に記載のデジタルコンテンツ視聴契約システム。
【手続補正７】
【補正対象書類名】明細書
【補正対象項目名】００１０
【補正方法】変更
【補正の内容】
【００１０】
このようなデジタルコンテンツサービスシステム及びデジタルコンテンツ視聴契約方法及びデジタルコンテンツ視聴契約システムにより、ＥＭＭデータの送出日時を自動化して決定することにより視聴可能となる予定日時を明確に提示することが可能となる。
【手続補正８】
【補正対象書類名】明細書
【補正対象項目名】００１１
【補正方法】変更
【補正の内容】
【００１１】
【発明の実施の形態】
次に、本発明に係るデジタルコンテンツサービスシステム及びデジタルコンテンツ視聴契約方法及びデジタルコンテンツ視聴契約システムの実施の形態を図面を参照して説明する。
【手続補正９】
【補正対象書類名】明細書
【補正対象項目名】００１３
【補正方法】変更
【補正の内容】
【００１３】
受信システム１００は、衛星３００からの電波を受信する為のアンテナ１１０と、アンテナ１１０及びモニタ１３０と接続され、ＩＣカード１２１を装着することによりアンテナ１００で受信した電波（信号）から映像／音声やデータを再生することが可能となり、再生した映像／音声やデータをモニタ１３０に送る受信機能と、電話回線等のネットワーク４００と接続して放送局に視聴情報等を送受する通信機能とを備えた受信機１２０と、受信機１２０で再生された映像／音声やデータ等を表示するモニタ１３０とから構成される。ＩＣカード１２１は、固有のＩＤ（識別）番号を持ち、放送番組等の契約情報や有料放送番組のスクランブル解除の為の鍵情報が記録され、受信機１２０に装着することより番組視聴を可能とする。尚、ＥＭＭデータ送出日時の前の直近になると自動若しくはユーザが確認操作後に当該サービスチャンネルに切り替えを行うようにしておいてもよい。
【手続補正１０】
【補正対象書類名】明細書
【補正対象項目名】００１５
【補正方法】変更
【補正の内容】
【００１５】
ＴＭＳ２１０は、一方はネットワーク４００を介して顧客の受信システム１００と接続され、他方はＳＭＳ２２０と接続されており、受信機１２０からのユーザ情報（ＩＤ情報や契約情報等）や視聴情報の取得を行うユーザ情報取得手段と、ＳＭＳ２２０からの視聴認証通知や放送局から送出される放送番組の視聴を可能とする為のスクランブル解除の鍵情報等が含まれたＥＭＭデータの送出予定日時情報を受信機１２０に対して送出するＥＭＭ情報送出手段とを備える。
【手続補正１１】
【補正対象書類名】明細書
【補正対象項目名】００１６
【補正方法】変更
【補正の内容】
【００１６】
ＳＭＳ２２０は、一方はＴＭＳ２１０、他方はＳＡＳ２３０と接続されており、ＴＭＳ２１０からユーザ情報（ＩＤ情報や契約情報等）を受取って管理するユーザ情報管理手段と、ＳＡＳ２３０に対してユーザ情報及びＥＭＭ送出依頼を送るＥＭＭ送出依頼手段とを備える。
【手続補正１２】
【補正対象書類名】明細書
【補正対象項目名】００２５
【補正方法】変更
【補正の内容】
【００２５】
購入する放送番組の選択が終了している場合は、リモコン等でカード情報の確認開始を選択する。確認開始が選択されると、受信機１２０は装着されているＩＣカード１２１に書き込まれているＩＤ番号の取得を行う（ＳＴ１０６）。もしＩＤ番号が取得できない場合は、ＩＣカード１２１が受信機１２０に装着されていないので、ＩＣカード１２１の装着を促し、再度カード情報の確認開始メッセージを表示する（ＳＴ１０６→ＳＴ１０４）。